(57)【特許請求の範囲】
【請求項１】
雄コネクタが挿入されるように前方に開口部が形成されたケーシングと、内部に一つ以上の端子収容ホールが形成されており、前記ケーシングの背面から前方に向けて突出した内部本体と、前記内部本体から前方に向けて延び、一面に前記端子収容ホールと連通されるように延長溝が形成され、前記延長溝には、前記端子収容ホールを通じて挿入された端子の一面に形成された第１溝が固定される第１固定突起が配された第１結合部を備えるハウジングと、
前記端子収容ホールに対応する個数で挿入ホールが形成された前面部と、前記前面部から後方に向けて前記第１結合部に対応する個数で延び、端部に前記端子の他面に形成された第２溝が固定されるように、前記第１固定突起の反対方向に前記第１固定突起に対応して形成された第２固定突起が配された第２結合部を備える前方ホルダーと、を含み、
前記前方ホルダーが、前記開口部に挿入された後、前記端子収容ホールと前記挿入ホールとが整列されるように、前記第１結合部に対して側方向にスライディングすれば、前記第１固定突起及び前記第２固定突起が、それぞれ前記第１溝と前記第２溝とを固定しながら、前記第１結合部と結合されることを特徴とする雌コネクタ組立体。
【請求項２】
前記内部本体の外側に挿入され、前記前方ホルダーによって圧入されて、前記雄コネクタと前記内部本体の外側との間を密閉するインナーシールをさらに含むことを特徴とする請求項１に記載の雌コネクタ組立体。
【請求項３】
互いに対応する前記端子収容ホール、前記第１結合部、前記挿入ホール及び前記第２結合部は、二つ以上が上下に配され、
前記前方ホルダーは、
上下に配された前記第２結合部の間に、前記前面部から後方に向けて延び、前記第１結合部の間を支持する支持部をさらに含むことを特徴とする請求項１に記載の雌コネクタ組立体。
【請求項４】
前記第１結合部は、一側に第１側板をさらに含み、
前記前方ホルダーは、前記第１側板と反対方向に第２側板とをさらに含んで、
前記前方ホルダーが、前記第１結合部に対して側方向にスライディングして、前記第１結合部と結合されれば、前記第１側板と前記第２側板が、前記第１結合部と前記前方ホルダーの側面とを塞ぐことを特徴とする請求項１ないし請求項３のうち何れか一項に記載の雌コネクタ組立体。
【発明の詳細な説明】
【技術分野】
【０００１】
本発明は、雌コネクタ組立体に係り、より詳細には、ハウジング内に端子が固定され、雄コネクタと結合が可能な雌コネクタ組立体に関する。
【背景技術】
【０００２】
一般的に、電気コネクタは、少なくとも一つ以上の導電性端子を装着しているハウジングを含む。そして、端子は、ワイヤのような別途の電気的な構成要素に電気的に接続される。一方、コネクタは、雌コネクタと雄コネクタとに区分され、雌雄コネクタは、常に対に備えられて互いに結合される。
【０００３】
端子がハウジングに不適切に装着される場合には、電気接続の質が落ちる。例えば、組み立てられた雌コネクタが最終組み立てラインに移送される過程で、または雄コネクタと雌コネクタとを組み立てる過程で、端子がハウジング内に完全に挿入されないか、あるいはコネクタの使用中に端子が搖れるか、完全に装着された状態から抜け出す場合、端子はハウジング内に不適切に装着される。
【０００４】
このような問題点を避けるために、最近の自動車には、端子の不完全な挿入を感知することができる端子位置確定装置（Ｔｅｒｍｉｎａｌ  Ｐｏｓｉｔｉｏｎ  Ａｓｓｕｒａｎｃｅ；以下、ＴＰＡ）が雌コネクタに備えられる。しかし、このようにＴＰＡを別途に備える場合、雌コネクタを構成する構成要素が多くなって、組み立て自体が非常に煩わしくなる。それだけではなく、このようにＴＰＡを別途に備える場合には、端子の位置が正確に検知された後に、ＴＰＡを正確に固定させなければならないが、端子の挿入方向と端子位置確定装置の挿入方向とが互いに反対方向であるために、端子位置確定装置の固定面で不利な点がある。
【発明の概要】
【発明が解決しようとする課題】
【０００５】
本発明は、簡便かつ安定的に端子を固定することができる雌コネクタ組立体を提供するところにその目的がある。
【課題を解決するための手段】
【０００６】
本発明による雌コネクタ組立体は、雄コネクタが挿入されるように前方に開口部が形成されたケーシングと、内部に一つ以上の端子収容ホールが形成されており、前記ケーシングの背面から前方に向けて突出した内部本体と、前記内部本体から前方に向けて延び、一面に前記端子収容ホールと連通されるように延長溝が形成され、前記延長溝には、前記端子収容ホールを通じて挿入された端子の一面に形成された第１溝が固定される第１固定突起が配された第１結合部を備えるハウジングと、前記端子収容ホールに対応する個数で挿入ホールが形成された前面部と、前記前面部から後方に向けて前記第１結合部に対応する個数で延び、端部に前記端子の他面に形成された第２溝が固定されるように、前記第１固定突起の反対方向に前記第１固定突起に対応して形成された第２固定突起が配された第２結合部を備える前方ホルダーと、を含むが、前記前方ホルダーが、前記開口部に挿入された後、前記端子収容ホールと前記挿入ホールとが整列（ａｌｉｇｎ）されるように、前記第１結合部に対して側方向にスライディングすれば、前記第１固定突起及び前記第２固定突起が、それぞれ前記第１溝と前記第２溝とを固定しながら、前記第１結合部と結合される。
【０００７】
ここで、前記内部本体の外側に挿入され、前記前方ホルダーによって圧入されて、前記雄コネクタと前記内部本体の外側との間を密閉するインナーシール（ｉｎｎｅｒ  ｓｅａｌ）をさらに含みうる。
【０００８】
また、互いに対応する前記端子収容ホール、前記第１結合部、前記挿入ホール及び前記第２結合部は、二つ以上が上下に配され、前記前方ホルダーは、上下に配された前記第２結合部の間に、前記前面部から後方に向けて延び、前記第１結合部の間を支持する支持部をさらに含みうる。
【０００９】
同時に、前記第１結合部は、一側に第１側板をさらに含み、前記前方ホルダーは、前記第１側板と反対方向に第２側板とをさらに含んで、前記前方ホルダーが、前記第１結合部に対して側方向にスライディングして、前記第１結合部と結合されれば、前記第１側板と前記第２側板が、前記第１結合部と前記前方ホルダーの側面とを塞ぐことができる。
【発明の効果】
【００１０】
本発明による雌コネクタ組立体によれば、
第１に、ハウジングに配された第１固定突起で端子を１次固定させ、前方ホルダーの側方向スライディングによって前方ホルダーに配された第２固定突起で端子を２次固定させることができて、前方ホルダーがＴＰＡ構造を同時に行い、固定が簡便かつ安定した長所がある。
【００１１】
第２に、１次固定された状態で雌コネクタ組立体を生産し、現場で前方ホルダーのスライディングによる２次固定を行う場合、工程が減って作業性が改善される。
【００１２】
第３に、前方ホルダーをスライディングして２次固定する時、端子との干渉があって固定にならない場合には、端子の中途挿入検知が可能であるために、前方ホルダーが端子位置確定装置ＴＰＡの役割まで可能である。
【００１３】
第４に、インナーシールが使われる場合、防水製品で気密性を満足させながら、一つの製品で電流通電において、主要不良中の一つである端子離脱及び遊動によるショートを防止することができる。
【図面の簡単な説明】
【００１４】
【図１】本発明の実施形態によるハウジングの斜視図である。
【図２】本発明の実施形態によるハウジングの背面図である。
【図３】本発明の実施形態によるハウジングの断面図である。
【図４】本発明の実施形態による前方ホルダーの斜視図である。
【図５】本発明の実施形態による前方ホルダーの断面図である。
【図６】本発明の実施形態による雌コネクタ組立体の分解斜視図である。
【図７】本発明の実施形態による１次固定された雌コネクタ組立体の斜視図である。
【図８】本発明の実施形態による１次固定された雌コネクタ組立体の断面図である。
【図９】本発明の実施形態による２次固定された雌コネクタ組立体の斜視図である。
【図１０】本発明の実施形態による２次固定された雌コネクタ組立体の断面図である。
【図１１】本発明の実施形態による雌コネクタ組立体及び雄コネクタの結合斜視図である。
【図１２】本発明の実施形態による雌コネクタ組立体及び雄コネクタの断面図である。
【発明を実施するための形態】
【００１５】
以下、添付した図面を参照して、本発明の望ましい実施形態を詳しく説明する。これに先立って、本明細書及び特許請求の範囲に使われた用語や単語は、通常的に、または辞書的な意味として限定して解析されてはならず、発明者は、自分の発明を最も最善の方法で説明するために、用語の概念を適切に定義できるという原則に基づいて、本発明の技術的思想に符合する意味と概念として解析しなければならない。
【００１６】
したがって、本明細書に記載の実施形態と図面とに図示された構成は、本発明の最も望ましい一実施形態に過ぎず、本発明の技術的思想をいずれも代弁するものではないので、本出願時点において、これらを代替しうる多様な均等物と変形例とがあり得るということを理解しなければならない。
【００１７】
本発明の実施形態による雌コネクタ組立体ＦＣは、ハウジング１００と前方ホルダー２００とを含む。図１ないし図３は、本発明の実施形態によるハウジング１００の斜視図、背面図及び断面図である。
【００１８】
ハウジング１００は、六面体に近い形状であって、ケーシング１１０と内部本体１２０と第１結合部１３０とを備える。ケーシング１１０の前方には、開口部１１０ａが形成されて雄コネクタＭＣが挿入される。内部本体１２０は、その内部に少なくとも一つ以上の端子収容ホール１２０ａが形成されており、ケーシング１１０の背面から前方に向けて突出する。図２を参照すると、端子収容ホール１２０ａは、上部に３個、下部に３個の総６個が形成されている。もちろん、端子収容ホール１２０ａの個数は、必要に応じて上下左右の配置の多様な組み合わせが可能である。第１結合部１３０は、内部本体１２０から前方に向けて延びる。また、第１結合部１３０の一面には、端子収容ホール１２０ａと連通されるように延長溝１３０ａが形成される。延長溝１３０ａには、端子収容ホール１２０ａを通じて挿入された端子Ｔの一面に形成された第１溝ｈ１が固定される第１固定突起１３０ｂが配される。図６を参照すると、端子Ｔには、一面の第１溝ｈ１と他面の第２溝ｈ２とが形成されている。
【００１９】
図１ないし図３を参照すると、端子収容ホール１２０ａが、上部に３個、下部に３個の総６個が形成されており、第１結合部１３０は、上部と下部２個が延びている。また、上部に位置した第１結合部１３０は、延長溝１３０ａと第１固定突起１３０ｂとがその上面に形成されているが、下部に位置した第１結合部１３０は、延長溝１３０ａと第１固定突起１３０ｂとがその下面に形成されている。そして、第１結合部１３０の間には溝が形成されて、後述する支持部２３０が支持される。一方、ハウジング１００の一側には、雄コネクタ固定部材１４０が配され、開口部１１０に挿入される雄コネクタＭＣを固定させる役割を果たす。
【００２０】
図４及び図５は、本発明の実施形態による前方ホルダーの斜視図及び断面図である。前方ホルダー（Ｆｒｏｎｔ  ｈｏｌｄｅｒ）２００は、六面体に近い形状であって、前面部２１０と、第２結合部２２０とを備える。前面部２１０には、端子収容ホール１２０ａに対応する個数である総６個の挿入ホール２１０ａが、上部３個、下部３個が形成される。第２結合部２２０は、前面部２１０から後方に向けて前記第１結合部１３０に対応する個数である上部３個、下部３個の総６個で延びる。そして、第２結合部２２０は、その端部に端子Ｔの他面に形成された第２溝ｈ２が固定されるように、前記第１固定突起１３０ｂの反対方向に前記第１固定突起１３０ｂに対応して形成された第２固定突起２２０ａが配される。前方ホルダー２００は、ハウジング１００の開口部１１０に一側に密着して後方に向けて挿入されてから、端子収容ホール１２０ａと挿入ホール２１０ａとが整列されるように、第１結合部１３０に対して左側または右側にスライディングして、第１結合部１３０と結合される。このように、前方ホルダー２００がスライディングすれば、第１固定突起１３０ｂ及び第２固定突起２２０ａが、それぞれ第１溝ｈ１と第２溝ｈ２とを固定しながら、第１結合部１３０と結合される。
【００２１】
図５を参照すると、互いに対応する端子収容ホール１２０ａ、第１結合部１３０、挿入ホール２１０ａ及び第２結合部２２０は、上下２段に配されており、前方ホルダー２００には、上下に配された第２結合部２２０の間に前面部２１０から後方に向けて延び、第１結合部１３０の間を支持する支持部２３０が存在する。
【００２２】
また、第１結合部１３０は、一側に第１側板１３１を含み、前方ホルダー２００は、第１側板１３１と反対方向に第２側板２４０とを含む。前方ホルダー２００が、第１結合部１３０に対して側方向にスライディングして、第１結合部１３０と結合されれば、第１側板１３１と第２側板２４０が、第１結合部１３０と前方ホルダー２００の側面とを塞ぎながら、一つの本体のように結合される。
【００２３】
図６は、本発明の実施形態による雌コネクタ組立体の分解斜視図である。
【００２４】
図６に示されたように、雌コネクタ組立体ＦＣは、前方ホルダー１００、ハウジング２００及びインナーシール３００を含む。インナーシール３００は、内部本体１２０の外側に挿入され、前方ホルダー２００によって圧入されて、雄コネクタＭＣと内部本体１２０の外側との間を防水されるように密閉する。このようにインナーシール３００を含めば、雌コネクタ組立体ＦＣは、防水コネクタとして使用が可能である。
【００２５】
以下、本発明の実施形態による雌コネクタ組立体の固定方法を説明する。
【００２６】
図７及び図８は、本発明の実施形態による１次固定された雌コネクタ組立体の斜視図及び断面図であり、図９及び図１０は、本発明の実施形態による２次固定された雌コネクタ組立体の斜視図及び断面図である。
【００２７】
図７及び図８を参照すると、１次固定のために前方ホルダー２００の第２側板２４０がケーシング１１０の内面と接触した状態で開口部１１０ａの内部に挿入されて１次固定される。ケーシング１１０の左側面と右側面とのうちいずれか側に接触するかは、必要に応じて変わりうる。１次固定時に、第２結合部２２０と支持部２３０は、それぞれ内部本体１２０と第１結合部１３０とを臨時に固定させる。また、図６及び図８のＣに示されたように、端子Ｔをそれぞれの端子収容ホール１２０ａに挿入させれば、端子Ｔの第１溝ｈ１は、第１固定突起１３０ｂによって固定されるが、第２溝ｈ２は、まだ前方ホルダー２００がスライディングされなかったために、第２固定突起２２０ａによって固定されない。
【００２８】
一方、図９及び図１０に示されたように、前方ホルダー２００をケーシング１１０の右側方向にスライディングさせて２次固定する場合にも、第２結合部２２０と支持部２３０が、それぞれ内部本体１２０と第１結合部１３０とを臨時に支持する。その状態で前方ホルダー２００のみスライディングされれば、図９及び図１０のＣ、Ｄに示されたように、端子Ｔの第１溝ｈ１は、第１固定突起１３０ｂによって固定されたまま、端子Ｔの第２溝ｈ２また第２固定突起２２０ａによって２次固定される。もし、端子Ｔが端子収容ホール１２０ａに正しく挿入されていない場合には、前方ホルダー２００が右側方向にスライディングされないので、端子の中途挿入検知が可能であり、前方ホルダー２００が、端子位置確定装置ＴＰＡの役割ができる。また、端子Ｔの挿入方向と前方ホルダー２００のスライディング方向とが互いに直交するために、前方ホルダー２００のスライディング時に端子Ｔを押し出す恐れがない。
【００２９】
図１１及び図１２は、本発明の実施形態による雌コネクタ組立体及び雄コネクタの結合斜視図及び断面図である。前述した雌コネクタ組立体ＦＣと端子Ｔとが２次固定された後には、雄コネクタ組立体ＭＣと結合される。この際、雌コネクタ組立体ＦＣの一側に配された雄コネクタ固定部材１４０によって雄コネクタ組立体ＭＣは、雌コネクタ組立体ＦＣと締結され、雄コネクタ組立体ＭＣの一端は、ハウジング１００と前方ホルダー２００との間の空間に挿入され、内部本体１２０の外側に挿入されたインナーシール３００は、前方ホルダー２００によって圧入されて、雄コネクタＭＣと内部本体１２０の外側との間を防水されるように密閉する。
【００３０】
また、雄コネクタ組立体ＭＣの場合にも、雌コネクタ組立体ＦＣの端子収容ホール１２０ａと対応する端子収容ホール１２０ａ´が形成されて、その端子収容ホール１２０ａ´に端子Ｔ´が挿入され、端子Ｔ´の端部が前方ホルダー２００の挿入ホール２１０ａに挿入されて、結局他の端子Ｔと通電される。
【００３１】
このように、雌コネクタ組立体ＦＣによれば、ハウジング１００に配された第１固定突起１３０ｂで端子Ｔを１次固定させ、前方ホルダー２００の左右スライディングによって第２固定突起２２０ａで端子Ｔを２次固定させることができて、前方ホルダーがＴＰＡ構造を同時に行い、固定が簡便かつ安定的である。また、１次固定された状態で雌コネクタ組立体ＦＣを生産し、現場で前方ホルダー２００のスライディングによる２次固定を行う場合、工程が減って作業性が改善される。また、インナーシール３００が使われる場合、防水製品で気密性を満足させながら、一つの製品で電流通電において、主要不良中の一つである端子離脱及び遊動によるショートを防止することができる。
【産業上の利用可能性】
【００３２】
本発明は、雌コネクタ組立体関連の技術分野に適用可能である。
【図１】
0005301725.tif 000002
【図２】
0005301725.tif 000003
【図３】
0005301725.tif 000004
【図４】
0005301725.tif 000005
【図５】
0005301725.tif 000006
【図６】
0005301725.tif 000007
【図７】
0005301725.tif 000008
【図８】
0005301725.tif 000009
【図９】
0005301725.tif 000010
【図１０】
0005301725.tif 000011
【図１１】
0005301725.tif 000012
【図１２】
0005301725.tif 000013